(57)【要約】【課題】建屋内に容易に取り付け可能なダクトを備えた組立式構造体を提供することを目的としている。【解決手段】本発明の組立式構造体１０は、柱パーツ２０と、前記柱パーツ２０に支持される屋根パーツ３０と、前記柱パーツ２０と前記屋根パーツ３０を組み合わせた建屋内で柱２００と屋根３００に沿って設置されるダクトパーツ４０と、を備え、前記ダクトパーツ４０は、前記柱パーツ２０と前記屋根パーツ３０の内部に形成されて、前記柱パーツ２０と前記屋根パーツ３０の組立と同時に前記ダクトパーツ４０同士を接続可能に形成されていることを特徴としている。【選択図】図１
2013028896.tif 000002
【特許請求の範囲】
【請求項１】
柱パーツと、
前記柱パーツに支持される屋根パーツと、
前記柱パーツと前記屋根パーツを組み合わせた建屋内で柱と屋根に沿って設置されるダクトパーツと、
を備え、
前記ダクトパーツは、前記柱パーツと前記屋根パーツに予め形成されて、前記柱パーツと前記屋根パーツの組立と同時に前記ダクトパーツ同士を接続可能に形成されていることを特徴とする組立式構造体。
【請求項２】
前記柱パーツに内蔵された前記ダクトパーツの一方の管端には、前記ダクトパーツの他方の管端の外径よりも小径の先細部を形成し、
前記先細部には、前記柱パーツに内蔵された前記ダクトパーツの他方の管端の挿入を補助するダクトガイドが、軸方向に沿って前記先細部の端面から突出して形成されたことを特徴とする請求項１に記載の組立式構造体。
【請求項３】
前記ダクトガイドは、前記ダクトパーツの端面を平面視して軸芯から凸状に、かつ放射方向に形成されていることを特徴とする請求項２に記載の組立式構造体。
【請求項４】
前記先細部には、外周に沿って前記ダクトパーツの他方の管端と接触するツバ部を設けたことを特徴とする請求項２又は３に記載の組立式構造体。
【請求項５】
前記屋根パーツに内蔵された前記ダクトパーツと、前記柱パーツに内蔵された前記ダクトパーツのいずれか一方には、管端をテーパ状に拡径した拡径部を形成し、前記ダクトパーツのいずれか他方には、前記拡径部と嵌合する縮径部を形成したことを特徴とする請求項１ないし４のいずれか１項に記載の組立式構造体。
【請求項６】
前記拡径部の外径は、前記屋根の振動又は設定誤差による前記ダクトの軸芯の位置移動を吸収可能な長さに設定していることを特徴とする請求項５に記載の組立式構造体。
【請求項７】
前記拡径部及び前記縮径部は、接触面を球形に形成したことを特徴とする請求項５又は６に記載の組立式構造体。
【請求項８】
前記屋根パーツに内蔵された前記ダクトパーツの拡径部又は縮径部とダクト本体の間には、前記ダクトの軸芯を中心としてせん断方向に変位可能な伸縮部を設けたことを特徴とする請求項５ないし７のいずれか一項に記載の組立式構造体。
【請求項９】
前記ダクトパーツは、前記屋根の棟の下方に設置された端部に前記建屋内の空気の吸込口を設けて、前記柱の下端に設置された端部に外部配管と接続する接続口を設けたことを特徴とする請求項１ないし８のいずれか一項に記載の組立式構造体。
【請求項１０】
前記柱は、少なくとも前記建屋の四隅に取り付けて、前記建屋の下端を外周に沿って開放したことを特徴とする請求項９に記載の組立式構造体。
【発明の詳細な説明】
【技術分野】
【０００１】
本発明は、特に屋根及び柱からなる建屋内部にダクトを備えた組立式構造体に関する。
【背景技術】
【０００２】
従来、内部にダクトを設けた建屋がある。ダクトは一例として、建屋内の換気や、建屋内に設置された機器の冷却用に用いられている。
特許文献１には、建屋内もしくは建屋に近接して配置された機器に取付けられる大型ダクトの支持方法であって、建屋を構成する柱もしくは梁に平行かつ近接して大型ダクトを配置するとともに、大型ダクトと柱もしくは梁とを複数位置で互いに結合する大型ダクトの支持方法が開示されている。
【先行技術文献】
【特許文献】
【０００３】
【特許文献１】特開平６−１９３９５４号公報
【発明の概要】
【発明が解決しようとする課題】
【０００４】
しかしながら、従来の建屋に設置されるダクトは、建屋が構築された後に、柱や屋根の外付けで取り付けられていた。
このため建屋が完成した後にダクトを設置することになり、施工日数が長期化していた。またダクト同士の位置合わせや、密着性を確保するなどの作業があるため作業時間が長くなっていた。また建屋内でダクトを柱や屋根に固定する支持具が必要となり構成部品が増加していた。また建屋の内部空間にダクトが施工されると建屋内のスペースが狭くなってしまうという問題があった。
【０００５】
また特許文献１に開示の大型ダクトの支持方法は、柱もしくは梁に平行かつ近接してダクトを配置してダクトの自重や地震荷重を建屋部材に負担させているが、建屋とダクトの取り付け工程は別工程であり、ダクト同士の接続工程もあり施工のための作業時間が長期化するという問題があった。
【０００６】
そこで本発明は、上記従来技術の問題点を解決するため、建屋内に容易に取り付け可能なダクトを備えた組立式構造体を提供することを目的としている。
【課題を解決するための手段】
【０００７】
本発明の組立式構造体は、柱パーツと、前記柱パーツに支持される屋根パーツと、前記柱パーツと前記屋根パーツを組み合わせた建屋内で柱と屋根に沿って設置されるダクトパーツと、を備え、前記ダクトパーツは、前記柱パーツと前記屋根パーツの内部に形成されて、前記柱パーツと前記屋根パーツの組立と同時に前記ダクトパーツ同士を接続可能に形成されていることを特徴としている。
【０００８】
上記構成によれば、柱パーツと屋根パーツの接続と同時にダクトパーツを接続できるので、ダクト据付箇所におけるダクトの据付作業が必要ない。よって、遠隔操作であっても容易にダクトの据付を行うことができる。また作業工程、取付部品等を大幅に削減することができる。またダクトを柱及び屋根の骨組内に取り付けることにより、建屋内の内部空間を拡大することができる。
【０００９】
前記柱パーツに内蔵された前記ダクトパーツの一方の端部には、前記ダクトパーツの端部を挿入可能な先細部を形成し、前記先細部には、前記柱パーツに内蔵された前記ダクトパーツの他方の端部の挿入を補助するダクトガイドが、軸方向に沿って前記先細部の端面から突出して形成されたことを特徴としている。
【００１０】
上記構成によれば、設定誤差によってダクト同士の軸芯が位置ズレしていたとしても、挿入と共にガイドに導かれて位置修正が行われてダクト同士を接続することができる。
【００１１】
前記ダクトガイドは、前記ダクトパーツの端面を平面視して軸芯から放射方向であって凸状に形成されていることを特徴としている。
上記構成によれば、ダクトガイドによるダクトパーツの位置ズレを容易に修正することができる。
【００１２】
前記先細部には、外周に沿って前記ダクトパーツの他方の端面と接触するツバ部を設けたことを特徴としている。
上記構成によれば、ダクトパーツ同士を接続させたときの密着性を高めることができる。
【００１３】
前記屋根パーツに内蔵された前記ダクトパーツと、前記柱パーツに内蔵された前記ダクトパーツのいずれか一方には、管端をテーパ状に拡径した拡径部を形成し、前記ダクトパーツのいずれか他方には、前記拡径部と嵌合する縮径部を形成したことを特徴としている。
【００１４】
上記構成によれば、設定誤差によってダクト同士の軸芯が位置ズレしていたとしても、挿入と共に縮径部が拡径部に導かれて位置修正が行われてダクト同士を接続することができる。
【００１５】
前記拡径部の外径は、前記屋根の振動又は設定誤差による前記ダクトの軸芯の位置移動を吸収可能な長さに設定していることを特徴としている。
上記構成によれば、接続時の位置ズレを解消できると共に、接続後の屋根の振動等による変位が生じても解消することができる。
【００１６】
前記拡径部及び前記縮径部は、接触面を球形に形成したことを特徴としている。
上記構成によれば、拡径部及び縮径部の接触面積が増大して、密着性を高めることができる。
【００１７】
前記屋根パーツに内蔵された前記ダクトパーツの拡径部又は縮径部とダクト本体の間には、前記ダクトの軸芯を中心としてせん断方向に変位可能な伸縮部を設けたことを特徴としている。
上記構成によれば、接続時の位置ズレを解消できると共に、接続後の屋根の揺れ・振動等が生じても容易に変位して解消することができる。
【００１８】
前記ダクトパーツは、前記屋根の棟の下方に設置された端部に前記建屋内の空気の吸込口を設けて、前記柱の下端に設置された端部に外部配管と接続する接続口を設けたことを特徴としている。
上記構成によれば、一例として外部配管に吸引ファンを設けることにより、屋根の棟の下方の吸込口から建屋内の空気を吸込み、ダクトを介して外部へ排気する排気経路を形成することができる。
【００１９】
前記柱は、少なくとも前記建屋の四隅に取り付けて、前記建屋の下端を外周に沿って開放したことを特徴としている。
上記構成によれば、一例として外部配管に吸引ファンを設けることにより、建屋の下端外周から外気が建屋内に導入されて、屋根の棟の下方の吸込口から建屋内の空気を吸込み、ダクトを介して外部へ排気する排気経路を形成することができる。
【発明の効果】
【００２０】
上記構成による本発明の組立式構造体によれば、柱パーツと屋根パーツの接続と同時にダクトパーツを接続できるので、ダクト据付箇所におけるダクトの据付作業が必要ない。よって、作業工程、取付部品等を大幅に削減することができる。またダクトを柱及び屋根の骨組内に取り付けることにより、建屋内の内部空間を拡げることができる。
【図面の簡単な説明】
【００２１】
【図１】本発明の組立式構造体の構成概略図である。
【図２】本発明の組立式構造体の断面図である。
【図３】本発明の組立式構造体の斜視図である。
【図４】柱パーツとダクトパーツの説明図である。
【図５】柱パーツ同士の嵌合の説明図であり、（１）は図４のＡ−Ａ矢視図，Ｂ−Ｂ矢視図を示し、（２）は接続時の斜視図を示し、（３）は接続時の側面図を示している。る。
【図６】屋根パーツとダクトパーツの正面図である。
【図７】屋根パーツとダクトパーツの平面図である。
【図８】屋根パーツに内蔵されたダクトパーツと、柱パーツに内蔵されたダクトパーツの接続部分の斜視図である。
【図９】屋根パーツに内蔵されたダクトパーツと、柱パーツに内蔵されたダクトパーツの接続部分の説明図である。
【発明を実施するための形態】
【００２２】
本発明の組立式構造体の実施形態を添付の図面を参照しながら、以下詳細に説明する。
図１は本発明の組立式構造体の構成概略図である。図２は本発明の組立式構造体の断面図である。図３は本発明の組立式構造体の斜視図である。
【００２３】
図１に示すように本発明の組立式構造体１０は、柱パーツ２０と、屋根パーツ３０と、ダクトパーツ４０を主な基本構成としている。組立式構造物１０は、図２及び図３に示すように複数の柱パーツと屋根パーツを接続して形成された柱２００と屋根３００からなる組立式の建屋である。建屋は屋根にシート１２を被せ、側面をシート１２で覆った壁を形成することにより、建屋内に配置された構造物１３と建屋外を遮断する内部空間を形成できる。
【００２４】
柱パーツ２０は、建屋の柱２００を構成する部材である。図４は柱パーツとダクトパーツの説明図である。図示のように柱パーツ２０は、柱を複数分割したパーツであり、本実施形態では２つの第１柱パーツ２１、第２柱パーツ２２からなる。なお柱パーツ２０は、施工箇所によっては複数分割せずに柱としてそのまま適用することもでき、また２つ以上の柱パーツに分割した構成を適用することもできる。柱パーツ２０の基本構成は、断面視で略正方形の筒状の構造枠であり四隅に４本の支柱を備え、所定の強度を持たせている。なお柱パーツ２０は施工箇所に応じて任意の長さに設定することができ、分割するパーツ数も任意に設定できる。柱パーツ２０同士が接続する端部には接続部２６が形成されている。
【００２５】
図５は柱パーツ同士の接続の説明図であり、（１）は図４のＡ−Ａ矢視図，Ｂ−Ｂ矢視図を示し、（２）は接続時の斜視図を示し、（３）は接続時の側面図を示している。図示のように接続部２６は、柱パーツ２０のいずれか一方の端部に設けられており、本実施形態では第２柱パーツ２２の上端に形成されている。具体的に接続部２６は、柱パーツ２０の構造枠を構成する４本の支柱の端部から柱パーツ２０の軸芯を中心として拡径したテーパ状に形成されている。このような接続部２６の構成により、上方から柱パーツ２０の下端が吊り下ろされたときに、パーツ同士の軸芯に位置ズレが生じていたとしても、上方の柱パーツの下端が接続部２６のテーパに沿って同一の軸芯上に導かれて位置の修正が行なわれ、両パーツを接続することができる。
【００２６】
上記構成による柱パーツ２０の内部には、ダクトパーツ４０を取り付けている。ダクトパーツ４０は、断面略円形であり、外径を柱パーツ２０の構造枠の直径よりも小さく設定している。本実施形態のダクトパーツ４０は、一例としてスパイラルダクトを採用している。ダクトパーツ４０は、柱パーツ２０と同様に複数分割したパーツであり、柱パーツ２０と略同じ長さに設定している。なお第１柱パーツ２１から第２柱パーツ２２に内蔵されたダクトパーツ４０を第１ダクトパーツ４１と第２ダクトパーツ４２とする。柱パーツ２０の内部にダクトパーツ４０を挿入して、軸芯を鉛直方向に配置したとき、ダクトパーツ４０は、下端が柱パーツ２０の下端から突出するように支持具４６を介して取り付けられている。支持具４６は、ダクトパーツ４０の外周と複数個所で接続し、かつ柱パーツ２０の構造枠と接続する枠体である。
【００２７】
柱パーツ２０の内部に取り付けたダクトパーツ４０には、管端のいずれか一方（本実施形態では第２ダクトパーツ４２）に先細部５０が形成されている（図５（２））。先細部５０は、ダクト本体の外径よりも小さい直径で端面を形成し、この端面とダクト本体との間をテーパ状に形成している。この先細部５０にはダクトガイド５２が形成されている。ダクトガイド５２は、凸状片５４をダクト本体の軸芯に沿って、先細部５０から突出させている。凸状片５４は、平面視で、ダクト本体の軸芯を中心として放射状に形成されている。また凸状片５４の外周は、先細部５０のテーパと連続するテーパ状となるようにカットされている。
【００２８】
先細部５０の拡径側には、外周に沿ってツバ部５６が形成されている（図５（３））。ツバ部５６は、所定の弾力を備えた弾性体を用いて形成されている。このような構成のツバ部５６は、先細部５０がダクト本体の管端に挿入された後、管端と接着して、ダクトパーツ４０同士の密着性を高めることができる。
【００２９】
なお本実施形態の先細部５０及びダクトガイド５２は、第２ダクトパーツ４２の上端に形成された構成で説明したが、ダクト本体の下端（第１ダクトパーツ４１）に形成された構成であってもよい。
また第２ダクトパーツ４２の下端には、外部配管と接続する接続口４８が形成されている（図４）。
【００３０】
屋根パーツ３０は、建屋の屋根３００を構成する部材である。なお本実施形態の屋根形状は、切妻屋根を採用しているが、屋根形状はこの形状に限定されるものではない。図６は屋根パーツとダクトパーツの正面図である。図７は屋根パーツとダクトパーツの平面図である。屋根パーツ３０の基本構成は断面視で略矩形の構造であり、所定の強度を持たせている。柱パーツ２０と接続する屋根パーツ３０の端部には、ストッパー３２が形成されている。ストッパー３２は平面視で柱パーツ２０の断面よりも大きい枠体であり、下面の柱パーツ２０に向けて凸部が外周に沿って形成されている。
【００３１】
上記構成による屋根パーツ３０の内部には、ダクトパーツ４０を取り付けている。ダクトパーツ４０は、柱パーツ２０に内蔵されたダクトパーツ４０と同様に、断面略円形であり、外径を屋根パーツ３０の構造枠の直径よりも小さく設定している。ダクトパーツ４０は、屋根パーツ３０と略同じ長さに設定している。ダクトパーツ４０は、屋根パーツ３０の棟部分に吸込口４９が形成されている。吸込口４９は建屋内の空気を吸込み易いように屋根３００の棟から下方に向けて形成されている。ダクトパーツ４０は、屋根パーツ３０の構造枠を形成する際、内部に挿入して、支持具４６を用いて取り付けている。支持具４６は、ダクトパーツ４０の外周と複数個所で接続し、かつ柱パーツ２０の構造枠と接続する枠体である。屋根パーツ３０と柱パーツ２０の接続箇所では、ダクトパーツ４０の管端が柱パーツ２０のダクトパーツ４０の管端と対向するように露出させている。さらにダクトパーツ４０の管端はストッパー３２の枠内に収まるように形成されている。
【００３２】
図８は屋根パーツに内蔵されたダクトパーツと、柱パーツに内蔵されたダクトパーツの接続部分の斜視図である。ダクトパーツ４０の一方の管端には、拡径部６０を形成している。またダクトパーツ４０の他方の管端には縮径部６２を形成している。本実施形態では屋根パーツ３０に内蔵されたダクトパーツ４０の管端に縮径部６２を形成し、柱パーツ２０に内蔵されたダクトパーツ４０の管端に拡径部６０を形成している。
【００３３】
拡径部６０は、ダクトパーツ４０の管端から軸芯に沿って外側に向けてテーパ状に拡径し、略受け皿状に形成されている。なお拡径部６０の外径は、屋根の振動又は設定誤差によるダクトパーツの軸芯の位置移動を吸収可能な長さに設定している。
【００３４】
縮径部６２は、ダクトパーツ４０の管端側を拡径し、軸芯に沿って管端から外側へ向けて縮径している。縮径部６２は、拡径部６０のテーパに倣ったテーパ状に形成されている。拡径部６０と縮径部６２の軸芯はそれぞれダクトパーツ４０の軸芯と一致するように形成されている。なお拡径部６０及び縮径部６２は、材質の一例として、金属鋼材を用いることができ、所定の剛性を備えている。また拡径部６０及び縮径部６２は、接触面を球形に形成することができる。このような形状にすることにより、接触面積が増大し、密着性を高めることができる。
【００３５】
屋根パーツ３０のダクトパーツ４０の管端と縮径部６２の間には、ダクトパーツ４０の軸芯に沿って伸縮部６４を形成している。伸縮部６４は、一例として、金属鋼材の膜又は板上部材を用いて、山折りと谷折りの繰り返し構造となる蛇腹（ベローズ）状に形成されている。このような伸縮部６４は、ダクトパーツ４０の軸芯を中心としてせん断方向に変位することができる。
【００３６】
なお拡径部６０を屋根パーツ３０のダクトパーツ４０に形成し、縮径部６２を柱パーツ２０のダクトパーツ４０に形成した構成であってもよい。ただし伸縮部６４は、端部に形成する拡径部６０又は縮径部６２の重量の観点から屋根パーツ３０に内蔵されたダクトパーツ４０側に形成するのが望ましい。
【００３７】
上記構成による本発明の組立式構造体の組立方法について以下説明する。本実施形態では建屋の四隅に柱２００を配置し、４本の柱２００に支持された屋根３００を備えた構造体の構成で説明する。また柱２００は第１柱パーツ２１と第２柱パーツ２２を接続することにより形成できる。まず、建屋の施工箇所の四隅に柱２００の下端部を構成する第２柱パーツ２２を取り付ける。第２柱パーツ２２の下端の外側面には、ダクトパーツ４０の管端に形成された接続口４８が露出している。
【００３８】
次にクレーン等で第１柱パーツ２１を懸吊し、第２柱パーツ２２上まで移動させる。図５（２）に示すように、第２柱パーツ２２の軸芯を中心とする鉛直線上まで移動した第１柱パーツ２１を吊り下ろす。そして第２柱パーツ２２の上端に形成された接続部２６と、第１柱パーツ２１の下端が所定の離間距離まで吊り下ろされた後、柱パーツ２０同士が嵌合する位置まで速度を低下させて吊り下ろす。このとき、第１及び第２柱パーツ２１，２２は略鉛直線上に配置されているが、設定誤差により、多少軸芯から位置ズレが生じていたとしても、第１ダクトパーツ４１の下端は第２ダクトパーツ４２の上端の先細部５０のダクトガイド５２によって、ダクトガイド５２のテーパをスライドして、第１ダクトパーツ４１の軸芯が第２ダクトパーツ４２の軸芯上へと導くことができる（図５（３））。そして第２柱パーツ２２と第１柱パーツ２１の接続と略同時に、第２ダクトパーツ４２の先細部５０が第１ダクトパーツ４１の管端内に挿入される。このとき第１ダクトパーツ４１の管端が第２ダクトパーツ４２のツバ部５６と接触し、外周がツバ部５６に覆われる。なおこの柱パーツ２０の接続は建屋の４隅で同時に行われる。
【００３９】
次にクレーン等で屋根パーツ３０を懸吊し、第１柱パーツ２１上まで移動させる。図９は屋根パーツに内蔵されたダクトパーツと、柱パーツに内蔵されたダクトパーツの接続部分の説明図である。屋根パーツ３０のダクトパーツ４０の２つの管端の軸芯を２本の第１柱パーツ２１の軸芯の鉛直線上まで移動する（図９（１））。そして屋根パーツ３０の下端が所定の離間距離まで吊り下ろされた後、屋根パーツ３０のストッパー３２と柱パーツ２０の上端が接続する位置まで速度を低下させながら吊り下ろす（図９（２））。このとき、屋根パーツ３０のダクトパーツ４０の管端は、略鉛直線上に配置されているが、設定誤差により、多少軸芯から位置ズレが生じていたとしても、屋根パーツ３０のダクトパーツ４０の縮径部６２は、第１ダクトパーツ４１の拡径部６０のテーパによって、テーパ上をスライドして屋根パーツ３０のダクトパーツ４０の軸芯を第１ダクトパーツ４１の軸芯上へと導くことができる。そして屋根パーツ３０と柱パーツ２０の接続と略同時に屋根パーツ３０のダクトパーツ４０と第１ダクトパーツ４１の接続が行われる（図９（３））。ここで屋根パーツ３０は、両端が第１柱パーツ２１の上端に載置しているだけの構造である。屋根パーツ３０が水平方向に移動した場合、ストッパー３２により屋根の落下を防止する構造である。従って強風による揺れなどで位置ズレが生じてしまうおそれがある。しかし、拡径部６０の外径は、屋根の振動又は設定誤差によるダクトの軸芯の位置移動を吸収可能な長さに設定しているので、位置ズレを解消することができる。また伸縮部６４によってダクトの軸芯を中心としてせん断方向、換言すれば水平方向に変位することによって位置ズレを解消することができる。
【００４０】
このような構成のダクトパーツ４０は、屋根３００の棟の下方に設置された端部に建屋内の空気の吸込口４９を供え、柱２００の下端に設置された端部に外部配管と接続する接続口４８を備えた構成となる。そして柱２００の外周下端を除き、側面及び屋根３００にシート１２を被せ、接続口４８に外部配管を接続して、吸引することにより、外気が建屋の側面下部から建屋内に流入し、建屋内の空気を外部へ排気することができる。なお接続口４８は組立式構造体１０の一方の側面のみに形成し、他方の側面のダクトの下端を一方の側面のダクトと接続する配管１５を設けることにより、装置構成を簡略化することができる。
【００４１】
このような本発明の組立式構造体によれば、柱パーツと屋根パーツの接続と同時にダクトパーツを接続できるので、ダクト据付箇所におけるダクトの据付作業が必要ない。よって、作業工程、取付部品等を大幅に削減することができる。またダクトを柱及び屋根の骨組内に取り付けることにより、建屋内の内部空間を拡大することができる。
【符号の説明】
【００４２】
１０………組立式構造体、１２………シート、１３………構造物、１５………配管、２０………柱パーツ、２１………第１柱パーツ、２２………第２柱パーツ、２５………取付部、２６………接続部、３０………屋根パーツ、３２………ストッパー、４０………ダクトパーツ、４１………第１ダクトパーツ、４２………第２ダクトパーツ、４６………支持具、４８………接続口、４９………吸込口、５０………先細部、５２………ダクトガイド、５４………凸状片、５６………ツバ部、６０………拡径部、６２………縮径部、６４………伸縮部、２００………柱、３００………屋根。
【図１】
2013028896.tif 000003
【図２】
2013028896.tif 000004
【図３】
2013028896.tif 000005
【図４】
2013028896.tif 000006
【図５】
2013028896.tif 000007
【図６】
2013028896.tif 000008
【図７】
2013028896.tif 000009
【図８】
2013028896.tif 000010
【図９】
2013028896.tif 000011